(57)【要約】  【課題】患者が複数の医療機関又は臨床検査機関で臨床検査による診察を受ける場合でも、その患者を同じ臨床検査項目を重複して行うことを防止可能な優れた臨床検査データ管理装置を提供する。  【解決手段】複数の医療機関又は臨床検査機関での臨床検査項目の実施状況を示す臨床検査実施状況データを個人別で管理するとともに、前記複数の医療機関又は臨床検査機関にそれぞれ設けられた端末装置Ｑと双方向通信可能に接続して成り、前記複数の医療機関又は臨床検査機関の中の一の医療機関又は臨床検査機関から、ある個人の臨床検査項目の実施必要性に係る問合せデータを受信した際に、前記臨床検査実施状況データを参照して、その個人について実施すべき又は実施不要な臨床検査項目を判定し、その判定結果に基づいて前記端末装置Ｑで閲覧可能な問合せ応答データを生成するようにした。【選択図】図３
2006228125.tif 000002
【特許請求の範囲】
【請求項１】
複数の医療機関又は臨床検査機関での臨床検査項目の実施状況を示す臨床検査実施状況データを個人別で管理するとともに、前記複数の医療機関又は臨床検査機関にそれぞれ設けられた端末装置と双方向通信可能に接続して成り、前記複数の医療機関又は臨床検査機関の中の一の医療機関又は臨床検査機関から、ある個人の臨床検査項目の実施必要性に係る問合せデータを受信した際に、前記臨床検査実施状況データを参照して、その個人について実施すべき又は実施不要な臨床検査項目を判定し、その判定結果に基づいて前記端末装置で閲覧可能な問合せ応答データを生成するように構成した装置であって、
個人を識別可能な個人識別データと当該個人に係る臨床検査実施状況データとを臨床検査項目ごとに関連付けて管理する個人別臨床検査実施状況マスタと、
前記端末装置から送信されて来る個人識別データを、問合せデータとして受信する問合せデータ受信手段と、
前記問合せデータ受信手段で受信した個人識別データと対応付けて前記個人別臨床検査実施状況マスタに管理している臨床検査項目を参照し、参照した臨床検査項目が実施済み又は未実施であるかを判定する実施状況判定手段と、
前記実施状況判定手段で判定した判定結果に基づいて、前記端末装置で閲覧可能な問合せ応答データを生成する問合せ応答データ生成手段と、
前記問合せ応答データ生成手段で生成した問合せ応答データを前記端末装置に送信する問合せ応答データ送信手段とを具備することを特徴とする臨床検査データ管理装置。
【請求項２】
複数の医療機関又は臨床検査機関での臨床検査項目の実施状況を示す臨床検査実施状況データを個人別で管理するとともに、前記複数の医療機関又は臨床検査機関にそれぞれ設けられた端末装置と双方向通信可能に接続して成り、前記複数の医療機関又は臨床検査機関の中の一の医療機関又は臨床検査機関から、ある個人の臨床検査項目の実施必要性に係る問合せデータを受信した際に、前記臨床検査実施状況データを参照して、その個人について実施すべき又は実施不要な臨床検査項目を判定し、その判定結果に基づいて前記端末装置で閲覧可能な問合せ応答データを生成するように構成した装置であって、
個人を識別可能な個人識別データと当該個人に係る臨床検査実施状況データとを臨床検査項目ごとに関連付けて管理する個人別臨床検査実施状況マスタと、
前記端末装置から送信されて来る個人識別データと実施予定の臨床検査項目に係る実施予定データとを、問合せデータとして受信する問合せデータ受信手段と、
前記問合せデータ受信手段で受信した個人識別データ及び実施予定データと対応付けて前記個人別臨床検査実施状況マスタに管理している臨床検査項目を参照し、参照した臨床検査項目が実施済み又は未実施であるかを判定する実施状況判定手段と、
前記実施状況判定手段で判定した判定結果に基づいて、前記端末装置で閲覧可能な問合せ応答データを生成する問合せ応答データ生成手段と、
前記問合せ応答データ生成手段で生成した問合せ応答データを前記端末装置に送信する問合せ応答データ送信手段とを具備することを特徴とする臨床検査データ管理装置。
【請求項３】
臨床検査項目と、その臨床検査項目について実施すべき検査間隔期間を示す検査間隔期間データとを関連付けて管理する検査間隔期間マスタを具備し、
前記実施状況判定手段が、前記検査間隔期間マスタをさらに参照し、検査間隔期間マスタの検査間隔期間データに示される検査間隔期間が、最新の臨床検査の実施日から判定日までの間隔期間以下であるとの参照結果を得た場合には、検査間隔期間の徒過による実施が必要であるとして未実施の判定をするように構成していることを特徴とする請求項１または２記載の臨床検査データ管理装置。
【請求項４】
前記個人別実施状況マスタが管理しているデータの更新の有無を検知するデータ更新検知手段と、
前記データ更新検知手段でデータ更新があったと検知した場合に、データ更新があった旨を予め定めた出力先に出力するデータ更新通知手段とを具備していることを特徴とする請求項１乃至３いずれか記載の臨床検査データ管理装置。
【請求項５】
前記個人別実施状況マスタで管理している臨床検査実施状況データが、その臨床検査結果の値を示す検査結果値データを含むものであって、
臨床検査項目と、検査結果値の異常の有無を判定するための正常又は異常範囲を示す異常判定データとを関連付けて管理する異常判定用マスタと、
前記個人別実施状況マスタが管理している検査結果値データが、前記異常判定用マスタの異常判定データの正常又は異常範囲のどちらに含まれるのかを判定する異常判定手段と、
前記異常判定手段が前記検査結果値データを異常範囲にあると判定した場合に、その検査結果値データが異常である旨を予め定めた通知先に出力する異常通知手段とを具備していることを特徴とする請求項１乃至４いずれか記載の臨床検査データ管理装置。
【請求項６】
前記異常通知手段により通知された検査結果値データが異常である旨に対して、その具体的内容に係る問合せを前記端末装置から受信した際に、
前記異常通知手段が，さらに具体的な情報を前記異常判定用マスタから抽出して、その端末装置に通知するように構成していることを特徴とする請求項５記載の臨床検査データ管理装置。
【請求項７】
前記具体的な情報が、当該検査結果に係る専門的な情報源にアクセスするためのＵＲＬやＱＲコード等のリンク先情報であることを特徴とする請求項６記載の臨床検査データ管理装置。
【請求項８】
臨床検査実施状況データと個人識別データとを受け付けるデータ受付手段と、
前記データ受付手段で受け付けた臨床検査実施状況データが、前記データ受付手段で受け付けた個人識別データと対応付けて個人別臨床検査実施状況マスタに記憶している臨床検査実施状況データと異なる値である場合、又は、前記データ受付手段で受け付けた個人識別データと対応付けて個人別臨床検査実施状況マスタに記憶されていない場合に、前記データ受付手段で受け付けた臨床検査実施状況データを、個人別臨床検査実施状況マスタに更新又は追加するデータ更新手段とを具備することを特徴とする請求項１乃至７いずれか記載の臨床検査データ管理装置。
【請求項９】
前記臨床検査実施状況データが、当該臨床検査の実施をした機関を識別可能な検査機関識別データを含むものであることを特徴とする請求項１乃至８いずれか記載の臨床検査データ管理装置。
【請求項１０】
前記問合せ応答データが、臨床検査項目コード又は臨床検査項目名と、その臨床検査項目に係る直近の検査結果に係る直近値、検査結果の平均値、検査結果の最高値、検査結果の最低値、および臨床検査結果の異常の有無を判断するための基準値のうち少なくとも１以上の値とを含むものであることを特徴とする請求項１乃至９いずれか記載の臨床検査データ管理装置。
【請求項１１】
前記端末装置が、臨床検査項目コードを表示するための臨床検査項目コード表示欄又は臨床検査項目名を表示するための臨床検査項目名表示欄と、臨床検査項目の実施必要性の問い合わせ用のチェックを受け付けるためのチェック受付欄とを、臨床検査項目を臨床学的に区分けした臨床区分ごとに一覧表示するものであり、
前記問合せデータ受信手段が、前記問合せデータ受付用画面を利用して端末装置で受け付けられた問合せデータを、その端末装置から受信するように構成していることを特徴とする請求項１乃至１０いずれか記載の臨床検査データ管理装置。
【請求項１２】
複数の医療機関又は臨床検査機関にそれぞれ設けられた端末装置と双方向通信可能に接続して成るコンピュータを作動させて、
前記複数の医療機関又は臨床検査機関での臨床検査項目の実施状況を示す臨床検査実施状況データを個人別で管理するとともに、前記複数の医療機関又は臨床検査機関の中の一の医療機関又は臨床検査機関から、ある個人の臨床検査項目の実施必要性に係る問合せデータを受信した際に、前記臨床検査実施状況データを参照して、その個人について実施すべき又は実施不要な臨床検査項目を判定し、その判定結果に基づいて前記端末装置で閲覧可能な問合せ応答データを生成するようにするためのプログラムであって、
コンピュータを、
個人を識別可能な個人識別データと当該個人に係る臨床検査実施状況データとを臨床検査項目ごとに関連付けて管理する個人別臨床検査実施状況マスタと、
前記端末装置から送信されて来る個人識別データを、問合せデータとして受信する問合せデータ受信手段と、
前記問合せデータ受信手段で受信した個人識別データと対応付けて前記個人別臨床検査実施状況マスタに管理している臨床検査項目を参照し、参照した臨床検査項目が実施済み又は未実施であるかを判定する実施状況判定手段と、
前記実施状況判定手段で判定した判定結果に基づいて、前記端末装置で閲覧可能な問合せ応答データを生成する問合せ応答データ生成手段と、
前記問合せ応答データ生成手段で生成した問合せ応答データを前記端末装置に送信する問合せ応答データ送信手段として機能させるための臨床検査データ管理用プログラム。
【発明の詳細な説明】
【技術分野】
【０００１】
本発明は、複数の医療機関や臨床検査機関で受けた臨床検査に係るデータを、患者ごとに保存管理し、各機関及び各患者が、双方向通信可能な通信回線網を介して、その結果を閲覧し得るように構成した臨床検査データ管理装置などに関するものである。
【背景技術】
【０００２】
従来から、臨床検査の結果を管理するようにした臨床検査システムが知られている。
【０００３】
この種の臨床検査システムは、例えば、検査装置から収集した検査結果を管理する管理サーバと、検査技師によって使用され検査結果を確定するための検査結果確定端末と、主治医、その他の医師、看護婦、患者などによって使用され検査結果を参照するための検査結果参照端末とを備え、管理サーバと検査結果確定端末、検査結果参照端末はＬＡＮなどのネットワークで接続されている。
【０００４】
そして、管理サーバは、検査結果参照端末から送られた検査結果の参照要求に対して、確定した検査結果のみを参照し得るように出力するので、検査結果の信頼性を確保した臨床検査システムが実現できている（例えば、特許文献１参照。）。
【特許文献１】特開２００１−１５５０９３号公報
【発明の開示】
【発明が解決しようとする課題】
【０００５】
ところが、従来の技術は、患者の臨床検査による診断は、その患者を診察した医療機関が、その医療機関単独で、または医療機関から委託された特定の臨床検査会社で検査され、それにより得られるデータのみによりなされるものであるため、患者が複数の医療機関で臨床検査による診察を受けた場合、これら複数の医療機関が仮にインターネット等の広域ネットワークに接続したものであっとしても、同じ臨床検査項目を重複してすることがあるといった問題点を有している。
【０００６】
本発明は、このような課題に着目してなされたものであって、主たる目的は、患者が複数の医療機関又は臨床検査機関で臨床検査による診察を受ける場合でも、その患者を同じ臨床検査項目を重複して行うことを防止可能な優れた臨床検査データ管理装置を提供することにある。
【課題を解決するための手段】
【０００７】
すなわち、本発明の臨床検査データ管理装置は、複数の医療機関又は臨床検査機関での臨床検査項目の実施状況を示す臨床検査実施状況データを個人別で管理するとともに、前記複数の医療機関又は臨床検査機関にそれぞれ設けられた端末装置と双方向通信可能に接続して成り、前記複数の医療機関又は臨床検査機関の中の一の医療機関又は臨床検査機関から、ある個人の臨床検査項目の実施必要性に係る問合せデータを受信した際に、前記臨床検査実施状況データを参照して、その個人について実施すべき又は実施不要な臨床検査項目を判定し、その判定結果に基づいて前記端末装置で閲覧可能な問合せ応答データを生成するように構成した装置であって、個人を識別可能な個人識別データと当該個人に係る臨床検査実施状況データとを臨床検査項目ごとに関連付けて管理する個人別臨床検査実施状況マスタと、前記端末装置から送信されて来る個人識別データを、問合せデータとして受信する問合せデータ受信手段と、前記問合せデータ受信手段で受信した個人識別データと対応付けて前記個人別臨床検査実施状況マスタに管理している臨床検査項目を参照し、参照した臨床検査項目が実施済み又は未実施であるかを判定する実施状況判定手段と、前記実施状況判定手段で判定した判定結果に基づいて、前記端末装置で閲覧可能な問合せ応答データを生成する問合せ応答データ生成手段と、前記問合せ応答データ生成手段で生成した問合せ応答データを前記端末装置に送信する問合せ応答データ送信手段とを具備することを特徴とする。
【０００８】
ここで「個人識別データ」とは、当該装置において個人ごとに付与されるユニークな値を示すデータであれば良く、例えば、指紋や眼球の奥の虹彩などのバイオメトリクス認証に用いられるデータを用いることもできる。
【０００９】
このようなものであれば、問合せデータ受信手段が、前記端末装置から送信されて来る問合せデータとして受信すると、実施状況判定手段が、問合せデータ受信手段で受信した問合せデータに係る個人識別データと対応付けて前記個人別臨床検査実施状況マスタに管理している臨床検査項目を参照し、参照した臨床検査項目が実施済み又は未実施であるかを判定する。そして、問合せ応答データ生成手段が、前記実施状況判定手段で判定した判定結果に基づいて、前記端末装置で閲覧可能な問合せ応答データを生成し、生成した問合せ応答データを、問合せ応答データ送信手段が端末装置に対して送信する。
【００１０】
すなわち、患者が複数の医療機関又は臨床検査機関で臨床検査による診察を受ける場合でも、その患者を同じ臨床検査項目を重複して行うことを防止可能な優れた臨床検査データ管理装置を提供することができる。
【００１１】
なお、端末装置からの個人識別データと実施予定臨床検査項目とによる問合せに対応するには、当該臨床検査データ管理装置が、複数の医療機関又は臨床検査機関での臨床検査項目の実施状況を示す臨床検査実施状況データを個人別で管理するとともに、前記複数の医療機関又は臨床検査機関にそれぞれ設けられた端末装置と双方向通信可能に接続して成り、前記複数の医療機関又は臨床検査機関の中の一の医療機関又は臨床検査機関から、ある個人の臨床検査項目の実施必要性に係る問合せデータを受信した際に、前記臨床検査実施状況データを参照して、その個人について実施すべき又は実施不要な臨床検査項目を判定し、その判定結果に基づいて前記端末装置で閲覧可能な問合せ応答データを生成するように構成した装置であって、個人を識別可能な個人識別データと当該個人に係る臨床検査実施状況データとを臨床検査項目ごとに関連付けて管理する個人別臨床検査実施状況マスタと、前記端末装置から送信されて来る個人識別データと実施予定の臨床検査項目に係る実施予定データとを、問合せデータとして受信する問合せデータ受信手段と、前記問合せデータ受信手段で受信した個人識別データ及び実施予定データと対応付けて前記個人別臨床検査実施状況マスタに管理している臨床検査項目を参照し、参照した臨床検査項目が実施済み又は未実施であるかを判定する実施状況判定手段と、前記実施状況判定手段で判定した判定結果に基づいて、前記端末装置で閲覧可能な問合せ応答データを生成する問合せ応答データ生成手段と、前記問合せ応答データ生成手段で生成した問合せ応答データを前記端末装置に送信する問合せ応答データ送信手段とを具備することが好ましい。
【００１２】
臨床検査項目と、その臨床検査項目について実施すべき検査間隔期間を示す検査間隔期間データとを関連付けて管理する検査間隔期間マスタを具備し、前記実施状況判定手段が、前記検査間隔期間マスタをさらに参照し、検査間隔期間マスタの検査間隔期間データに示される検査間隔期間が、最新の臨床検査の実施日から判定日までの間隔期間以下であるとの参照結果を得た場合には、検査間隔期間の徒過による実施が必要であるとして未実施の判定をするように構成しているのであれば、例えば、血液検査のように一度検査すれば良いものについては二度の検査をする必要が無く、また、定期的に臨床検査をしなければならないような臨床検査項目については、定期的に臨床検査を実施するといった、実情に即した臨床検査の実施を行うことができる。
【００１３】
ここで、「判定日」とは、当該装置が判定をする日に限らず、臨床検査を行う予定日をも含む概念である。
【００１４】
臨床検査や医療の速やかな実施を実現するためには、前記個人別実施状況マスタが管理しているデータの更新の有無を検知するデータ更新検知手段と、前記データ更新検知手段でデータ更新があったと検知した場合に、データ更新があった旨を予め定めた出力先に出力するデータ更新通知手段とを具備していることが望ましい。
【００１５】
健康状態に問題のある患者を遅滞無く把握するためには、前記個人別実施状況マスタで管理している臨床検査実施状況データが、その臨床検査結果の値を示す検査結果値データを含むものであって、臨床検査項目と、検査結果値の異常の有無を判定するための正常又は異常範囲を示す異常判定データとを関連付けて管理する異常判定用マスタと、前記個人別実施状況マスタが管理している検査結果値データが、前記異常判定用マスタの異常判定データの正常又は異常範囲のどちらに含まれるのかを判定する異常判定手段と、前記異常判定手段が前記検査結果値データを異常範囲にあると判定した場合に、その検査結果値データが異常である旨を予め定めた通知先に出力する異常通知手段とを具備していることが好ましい。
【００１６】
このとき、前記異常通知手段により通知された検査結果値データが異常である旨に対して、その具体的内容に係る問合せを前記端末装置から受信した際に、前記異常通知手段が，さらに具体的な情報を前記異常判定用マスタから抽出して、その端末装置に通知するように構成しているのであれば、健康状態についてどのような問題があるのかを具体的に知ることができる。
【００１７】
また、前記具体的な情報が、当該検査結果に係る専門的な情報源にアクセスするためのＵＲＬやＱＲコード等のリンク先情報であれば、検査結果に係る情報を、インターネット等で検索する際に、その労力を大幅に削減できるので使い勝手が格段に向上する。
【００１８】
臨床検査実施状況データと個人識別データとを受け付けるデータ受付手段と、前記データ受付手段で受け付けた臨床検査実施状況データが、前記データ受付手段で受け付けた個人識別データと対応付けて個人別臨床検査実施状況マスタに記憶している臨床検査実施状況データと異なる値である場合、又は、前記データ受付手段で受け付けた個人識別データと対応付けて個人別臨床検査実施状況マスタに記憶されていない場合に、前記データ受付手段で受け付けた臨床検査実施状況データを、個人別臨床検査実施状況マスタに更新又は追加するデータ更新手段とを具備するのであれば、臨床検査実施状況データを最新の情報に保つことができる。
【００１９】
前記臨床検査実施状況データが、当該臨床検査の実施をした機関を識別可能な検査機関識別データを含むものであれば、どの検査機関が臨床を行ったのかを調べるための検索などを容易に行える。
【００２０】
前記問合せ応答データが、臨床検査項目コード又は臨床検査項目名と、その臨床検査項目に係る直近の検査結果に係る直近値、検査結果の平均値、検査結果の最高値、検査結果の最低値、および臨床検査結果の異常の有無を判断するための基準値のうち少なくとも１以上の値とを含むものであれば、臨床検査結果を具体的に知り得、精密検査や再診の実施の必要性に係る判断を、迅速且つ確実に行うことができる。
【００２１】
前記端末装置が、臨床検査項目コードを表示するための臨床検査項目コード表示欄又は臨床検査項目名を表示するための臨床検査項目名表示欄と、臨床検査項目の実施必要性の問い合わせ用のチェックを受け付けるためのチェック受付欄とを、臨床検査項目を臨床学的に区分けした臨床区分ごとに一覧表示するものであり、前記問合せデータ受信手段が、前記問合せデータ受付用画面を利用して端末装置で受け付けられた問合せデータを、その端末装置から受信するように構成しているのであれば、端末装置側では、実施必要性の問い合わせ用のチェックを容易に行える一方、当該臨床検査データ管理装置では、無用な応答をする必要がなく、マシン負荷を抑制できる。
【発明の効果】
【００２２】
以上説明したように本発明の臨床検査データ管理装置によれば、問合せデータ受信手段が、前記端末装置から送信されて来る問合せデータとして受信すると、実施状況判定手段が、問合せデータ受信手段で受信した問合せデータに係る個人識別データと対応付けて前記個人別臨床検査実施状況マスタに管理している臨床検査項目を参照し、参照した臨床検査項目が実施済み又は未実施であるかを判定する。そして、問合せ応答データ生成手段が、前記実施状況判定手段で判定した判定結果に基づいて、前記端末装置で閲覧可能な問合せ応答データを生成し、生成した問合せ応答データを、問合せ応答データ送信手段が端末装置に対して送信する。
【００２３】
すなわち、患者が複数の医療機関又は臨床検査機関で臨床検査による診察を受ける場合でも、その患者を同じ臨床検査項目を重複して行うことを防止可能な優れた臨床検査データ管理装置を提供することができる。
【発明を実施するための最良の形態】
【００２４】
以下、本発明の一実施形態を、図面を参照して説明する。
【００２５】
本発明の一実施形態における臨床検査データ管理システムは、図１に示すように、複数の医療機関（健診機関を含む）又は臨床検査機関での臨床検査項目の実施状況を示す臨床検査実施状況データを個人（患者又は被健診者）別で管理し且つサービス提供会社に配されて使用される臨床検査データ管理装置Ｐと、前記臨床検査実施状況データの閲覧等に用いられ且つ医療機関に配されて使用される端末装置Ｑ１（以下、「医療機関側端末装置Ｑ１」と称する）と、前記臨床検査実施状況データの閲覧等に用いられ且つ臨床検査機関に配されて使用される端末装置Ｑ２（以下、「臨床検査側端末装置Ｑ２」と称する）と、前記臨床検査実施状況データの閲覧等に用いられ且つ患者又は被健診者（以下、患者と総称する）に使用される端末装置Ｑ３（以下、「患者側端末装置Ｑ３」と称する）とを具備し、これら各装置をインターネットＩＮＴなどの通信回線を介して双方向通信可能に構成したものである。
【００２６】
以下、具体的に、臨床検査データ管理装置Ｐ、医療機関側端末装置Ｑ１、臨床検査側端末装置Ｑ２、および、患者側端末装置Ｑ３について説明する。なお、医療機関側端末装置Ｑ１、臨床検査側端末装置Ｑ２、および、患者側端末装置Ｑ３を、「端末装置Ｑ」と総称するものとする。
【００２７】
臨床検査データ管理装置Ｐは、一般的な情報処理機能に加えサーバ機能を有し、複数の医療機関又は臨床検査機関での臨床検査項目の実施状況を示す臨床検査実施状況データを個人別で管理し、前記複数の医療機関又は臨床検査機関の中の一の医療機関又は臨床検査機関から、ある個人の臨床検査項目の実施必要性に係る問合せデータを受信した際に、前記臨床検査実施状況データを参照して、その個人について実施すべき又は実施不要な臨床検査項目を判定し、その判定結果に基づいて前記端末装置Ｑで閲覧可能な問合せ応答データを生成するように構成した装置であって、図２に示すように、ＣＰＵ１０１、内部メモリ１０２、ＨＤＤ等の外部記憶装置１０３、マウスやキーボードなどの入力装置１０４、液晶ディスプレイなどの表示装置１０５、インターネットＩＮＴ等の通信回線網に接続するための通信インタフェース１０６、図示しないプリンタと通信するための印刷出力インタフェース１０７等を具備している。
【００２８】
そして、この臨床検査データ管理装置Ｐは、その内部メモリ１０２に記憶されたプログラムにしたがって前記ＣＰＵ１０１や周辺機器を作動し、図３に示すように、個人別臨床検査実施状況マスタ１ａ、異常判定用マスタ１ｂ、検査間隔期間マスタ１ｃ、データ受付手段１ｄ、データ更新手段１ｅ、データ更新検知手段１ｆ、データ更新通知手段１ｇ、問合せデータ受信手段１ｈ、実施状況判定手段１ｉ、問合せ応答データ生成手段１ｊ、問合せ応答データ送信手段１ｋ、異常判定手段１ｌ、異常通知手段１ｍ等としての機能を発揮する。以下、各手段について具体的に説明する。
【００２９】
個人別臨床検査実施状況マスタ１ａは、患者個人を識別可能な個人識別データと当該個人に係る臨床検査実施状況データとを臨床検査項目ごとに関連付けて管理するものであって、前記内部メモリ１０２又は外部記憶装置１０３の所定領域に形成している。具体的に、本実施形態では、図４に示すように、臨床検査実施状況データとして、臨床検査項目名、直近値（値と検査年月）、平均値、最高値（値と検査年月）、最低値（値と検査年月）、基準値に係るデータを管理するようにしている。ここで、直近値、平均値、最高値、および最低値が、本発明の「検査結果値データ」に相当する。また、臨床検査実施状況データが、当該臨床検査の実施をした臨床検査実施機関を識別可能な検査機関識別データ（機関名又はコード）をさらに含むようにしている。
【００３０】
なお、個人識別データとしては、当該システムにおいてユニークな値である個人識別ＩＤを患者ごとに付与し、図５に示すように、この個人識別ＩＤと、患者の個人情報（氏名、性別、生年月日、住所）とを関連付けて個人情報マスタ（図示せず）で管理するようにしているが、管理する情報は実施態様に応じて適宜変更可能である。また、個人情報マスタで、当該システムを利用するためのパスワード（利用パスワード）等を管理している。また、検査機関識別データは、各検査を実施した臨床検査実施機関と対応して当該マスタ１ａで管理されるようにしている。
【００３１】
異常判定用マスタ１ｂは、臨床検査項目と、検査結果値の異常の有無を判定するための正常又は異常範囲を示す異常判定データとを関連付けて管理するものであって、前記内部メモリ１０２又は外部記憶装置１０３の所定領域に形成している。本実施形態では、図６に示すように、臨床検査項目と、その項目についての正常範囲を示す基準値（この基準値が異常判定データに相当する）とを関連付けて管理するようにしている。すなわち、検査結果値が、当該異常判定用マスタ１ｂの基準値内にあれば「異常でない」との判定に用いることができる一方、基準値以外にあれば「異常である」との判定に用いることができる。また、本実施形態では、各臨床検査項目について、その臨床検査項目（又は結果）に係る専門的な情報源にアクセスするための専門サイトリンク先情報（例えば、ＵＲＬやＱＲコード等）を、管理するようにしている。この「専門サイトリンク先情報」が、異常通知手段１ｍが異常判定用マスタ１ｂから抽出して端末装置Ｑに通知する「具体的な情報」に相当する。
【００３２】
検査間隔期間マスタ１ｃは、図７に示すように、臨床検査項目と、その臨床検査項目について実施すべき検査間隔期間を示す検査間隔期間データとを関連付けて管理するものであって、前記内部メモリ１０２又は外部記憶装置１０３の所定領域に形成している。
【００３３】
データ受付手段１ｄは、臨床検査実施状況データと個人識別データとを受け付けるものであって、前記入力装置１０４などを利用して構成している。具体的に、本実施形態では、郵便やＦＡＸを介して臨床検査機関から受け取った臨床検査実施状況データと個人識別データとを、当該臨床検査データ管理装置Ｐのオペレータの入力により受け付けるようにしているが、これに限られず、例えば、臨床検査機関の臨床検査側端末装置Ｑ２から受信した各データを、当該データ受付手段１ｄで自動的に受け付けるようにすることを妨げない。
【００３４】
データ更新手段１ｅは、前記データ受付手段１ｄで受け付けた臨床検査実施状況データが、前記データ受付手段１ｄで受け付けた個人識別データと対応付けて個人別臨床検査実施状況マスタ１ａに記憶している臨床検査実施状況データと異なる値である場合、又は、前記データ受付手段１ｄで受け付けた個人識別データと対応付けて個人別臨床検査実施状況マスタ１ａに記憶されていない場合に、前記データ受付手段１ｄで受け付けた臨床検査実施状況データを、個人別臨床検査実施状況マスタ１ａに更新又は追加するものである。
【００３５】
データ更新検知手段１ｆは、前記個人別実施状況マスタが管理しているデータの更新の有無を検知するものである。なお、検知するタイミングは、データ更新手段１ｅのデータ更新時に検知するものに限らず、例えば、１日１回定時に検知するなど、定期的に検知するように構成することもできる。
【００３６】
データ更新通知手段１ｇは、前記データ更新検知手段１ｆでデータ更新があったと検知した場合に、データ更新があった旨（例えば、更新日時情報、更新内容など）を予め定めた出力先（例えば、患者や医療機関）に電子メールで出力するものであって、前記通信インタフェース１０６などを利用して構成している。なお、通知先は、複数であることを妨げない。また、郵送またはＦＡＸにて通知するために、印刷出力インタフェース１０７などを利用して、データ更新があった旨を、図示しないプリンタで印字出力するといった実施態様も考えられる。
【００３７】
問合せデータ受信手段１ｈは、前記端末装置Ｑから送信されて来る個人識別データと実施予定の臨床検査項目に係る実施予定データとを、問合せデータとして受信するものであって、前記通信インタフェース１０６などを利用して構成している。
【００３８】
実施状況判定手段１ｉは、前記問合せデータ受信手段１ｈで受信した個人識別データ及び実施予定データと対応付けて前記個人別臨床検査実施状況マスタ１ａに管理している臨床検査項目を参照し、参照した臨床検査項目が実施済み又は未実施であるかを判定するものである。なお、実施済みか否かの判定は、原則として、実施年月日が記憶されてるか否かによって行うに加え、本実施形態では、前記実施状況判定手段１ｉが、前記検査間隔期間マスタ１ｃをさらに参照し、検査間隔期間マスタ１ｃの検査間隔期間データに示される検査間隔期間が、最新の臨床検査の実施日から判定日までの間隔期間以下であるとの参照結果を得た場合には、検査間隔期間の徒過による実施が必要であるとして「未実施」の判定をするように構成している。なお、「判定日」とは、当該装置が判定をする日に設定しているが、臨床検査を行う予定日に設定することを妨げない。
【００３９】
問合せ応答データ生成手段１ｊは、前記実施状況判定手段１ｉで判定した判定結果に基づいて、前記端末装置Ｑで閲覧可能な問合せ応答データを生成するものである。
【００４０】
具体的に、この問合せ応答データは、図８に示すように、臨床検査実施状況データとして、臨床検査項目名、ランク、直近値（値と検査年月）、平均値、最高値（値と検査年月）、最低値（値と検査年月）、および、臨床検査結果の異常の有無を判断するための基準値に係るデータを含み、前記端末装置Ｑで一覧表示し得るものである。ここで、「ランク」とは、臨床検査の必要性を０〜３の整数で数値化したものであって、「０」であれば、臨床検査の必要は無く、数値が大きくなるほど、その必要性が大きくなるように設定している。より具体的に、このランクは、問合せデータに係る個人識別データ及び実施予定データについて、各マスタを参照し、例えば、検査後半年以上経過していればランク３、半年以内でも直近値が異常値なら1ヶ月程度の経過でもランク３、血液型等の一回の検査で以後不要な検査はランク０を自動的に設定するようにしている。すなわち、ランクを見れば、臨床検査項目ごとに臨床検査の必要性を一瞥して把握することができる。なお、ランクの設定方法は、実施態様に応じて適宜変更可能である。また、臨床検査実施状況データを画面表示した際に、直近値、最高値、および、最低値をさらにマウスクリックすると、その検査を実施した臨床検査実施機関の機関名又はコードが表示されるように、直近値、最高値、および、最低値と、機関名又はコードとをリンクさせている。
【００４１】
問合せ応答データ送信手段１ｋは、前記問合せ応答データ生成手段１ｊで生成した問合せ応答データを前記端末装置Ｑに送信するものであって、前記通信インタフェース１０６などを利用して構成している。
【００４２】
異常判定手段１ｌは、前記個人別実施状況マスタが管理している検査結果値データが、前記異常判定用マスタ１ｂの異常判定データの正常又は異常範囲のどちらに含まれるのかを判定するものである。なお、この異常判定手段１ｌが判定するタイミングは、例えば、定期的（１日１回または１週間に１回など）に判定するように設定するなど、実施態様に応じて適宜でよい。
【００４３】
異常通知手段１ｍは、前記異常判定手段１ｌが前記検査結果値データを異常範囲にあると判定した場合に、その検査結果値データが異常である旨を予め定めた通知先（例えば、患者や医療機関）に電子メールで出力するものであって、前記通信インタフェース１０６などを利用して構成している。なお、通知先は、複数であることを妨げない。また、郵送またはＦＡＸにて通知するために、印刷出力インタフェース１０７などを利用して、データ更新があった旨を、図示しないプリンタで印字出力するといった実施態様も考えられる。
【００４４】
そして、前記異常通知手段１ｍにより通知された検査結果値データが異常である旨に対して、その具体的内容に係る問合せを前記端末装置Ｑから受信した場合には、当該異常通知手段１ｍが，さらに専門サイトリンク先情報を異常判定用マスタ１ｂから抽出して、その端末装置Ｑに通知するように構成している。
【００４５】
医療機関側端末装置Ｑ１は、パソコン等の一般的な情報処理機能を有する情報処理装置であって、図９に示すように、ＣＰＵ２０１、内部メモリ２０２、ＨＤＤ等の外部記憶装置２０３、マウスやキーボードなどの入力装置２０４、液晶ディスプレイなどの表示装置２０５、インターネットＩＮＴ等の通信回線網に接続するための通信インタフェース２０６、図示しないプリンタと通信するための印刷出力インタフェース２０７等を具備している。
【００４６】
そして、この医療機関側端末装置Ｑ１は、その内部メモリ２０２に記憶されたプログラムにしたがって前記ＣＰＵ２０２や周辺機器を作動し、図３に示すように、問合せデータ受付画面表示手段２ａ、端末識別情報記憶手段２ｂ、問合せデータ送信手段２ｃ、問合せ応答データ受信手段２ｄ、問合せ応答データ表示手段２ｅ、臨床検査依頼データ出力手段２ｆ等としての機能を発揮する。以下、各手段について詳述する。
【００４７】
問合せデータ受付画面表示手段２ａは、図１０に示すように、臨床検査を受ける予定の患者を識別するための個人識別データ及び臨床検査の予定年月日を表示するに加え、臨床検査項目コードを表示するための臨床検査項目コード表示欄ｈ１と、臨床検査項目名を表示するための臨床検査項目名表示欄ｈ２と、臨床検査項目の実施必要性の問い合わせ用のチェックＣを受け付けるためのチェック受付欄ｈ３とを、臨床検査項目を臨床学的に区分けした臨床区分ｈ０（例えば、肝疾患、腎疾患など）ごとに一覧表示するものであって、前記表示装置２０５などを利用して構成している。そして、チェック受付欄ｈ３に対して例えばマウスクリック等によりチェックＣのあった臨床検査項目が、実施予定データとして取り扱われる。
【００４８】
端末識別情報記憶手段２ｂは、当該医療機関側端末装置Ｑ１を識別可能な端末識別情報（機関名又はコード）を記憶するものであって、前記内部メモリ２０２又は外部記憶装置２０３の所定領域に形成している。
【００４９】
問合せデータ送信手段２ｃは、個人識別データ、臨床予定年月日データ、実施予定データおよび、端末識別情報記憶手段２ｂに記憶している端末識別情報を、臨床検査データ管理装置Ｐに対して送信するものであって、前記通信インタフェース２０６などを利用して構成している。
【００５０】
問合せ応答データ受信手段２ｄは、臨床検査データ管理装置Ｐから送信されて来る問合せ応答データを受信するものであって、前記通信インタフェース２０６などを利用して構成している。
【００５１】
問合せ応答データ表示手段２ｅは、問合せ応答データ受信手段２ｄで受信した問合せ応答データを表示するものであって（図８参照）、前記表示装置２０５などを利用して構成している。
【００５２】
臨床検査依頼データ出力手段２ｆは、依頼データを特定の相手先に対して、電子的（例えば、電子メール等）に出力するものであって、前記通信インタフェース２０６などを利用して構成している。ここで「特定の相手先」とは、当該医療機関と契約にある臨床検査会社などが挙げられる。なお、依頼データを、マークシート、郵送またはＦＡＸにて依頼先に通知するために、印刷出力インタフェース２０７などを利用して、図示しないプリンタで印字出力するといった実施態様も考えられる。
【００５３】
臨床検査側端末装置Ｑ２および患者側端末装置Ｑ３については、医療機関側端末装置Ｑ１と同様の構成であり、また、同様の機能を発揮するので説明を省略する。
【００５４】
次に、本実施形態の臨床検査データ管理装置Ｐ、医療機関側端末装置Ｑ１の動作ついて、各装置ごとに分けてフロー図などを用いて説明する。
【００５５】
（１）臨床検査データ管理装置Ｐの動作について
（ｉ）データ更新に係るフロー
図１１に示すように、データ受付手段１ｄが臨床検査実施状況データと個人識別データとを受け付けると（ステップＳ１０１）、データ更新手段１ｅが、受け付けた臨床検査実施状況データと個人識別データとを個人別臨床検査実施状況マスタ１ａに更新する（ステップＳ１０２）。そして、個人別臨床検査実施状況マスタ１ａへのデータ更新があったことを、データ更新検知手段１ｆが検知すると（ステップＳ１０３）、データ更新通知手段１ｇが、データ更新があった旨を予め定めた出力先に電子メールで出力する（ステップＳ１０４）。
【００５６】
（ｉｉ）問合せデータの応答に係るフロー
図１２に示すように、問合せデータ受信手段１ｈが、前記端末装置Ｑから送信されて来る問合せデータとして受信すると（ステップＳ２０１）、実施状況判定手段１ｉが、問合せデータ受信手段１ｈで受信した問合せデータに係る個人識別データ及び実施予定データと対応付けて前記個人別臨床検査実施状況マスタ１ａに管理している臨床検査項目及び、検査間隔期間マスタ１ｃを参照し、参照した臨床検査項目が実施済み又は未実施であるかを判定する（ステップＳ２０２）。そして、問合せ応答データ生成手段１ｊが、前記実施状況判定手段１ｉで判定した判定結果に基づいて、前記端末装置Ｑで閲覧可能な問合せ応答データを生成し（ステップＳ２０３）、生成した問合せ応答データを、問合せ応答データ送信手段１ｋが端末装置Ｑに対して送信する（ステップＳ２０４）。
【００５７】
（ｉｉｉ）異常通知に係るフロー
図１３に示すように、異常判定手段１ｌが、前記個人別実施状況マスタが管理している検査結果値データについて、前記異常判定用マスタ１ｂの異常判定データの正常又は異常範囲のどちらに含まれるのかを判定し、前記異常判定手段１ｌが前記検査結果値データを異常範囲にあると判定した場合には（ステップＳ３０１）、異常通知手段１ｍが、その検査結果値データが異常である旨を予め定めた通知先（例えば、患者や医療機関）に電子メールで出力する（ステップＳ３０２）。
【００５８】
（２）医療機関側端末装置Ｑ１の動作について
図１４に示すように、問合せデータ受付画面表示手段２ａが、臨床検査項目コード表示欄ｈ１、臨床検査項目名表示欄ｈ２およびチェック受付欄ｈ３とを、臨床検査項目を臨床学的に区分けした臨床区分ｈ０ごとに一覧表示などする（ステップＳ４０１）。そして、チェック受付欄ｈ３に対する例えばマウスのクリックなどの操作に加え、送信命令に係る操作があると（ステップＳ４０２）、問合せデータ送信手段２ｃが、個人識別データ、臨床予定年月日データ、実施予定データおよび、端末識別情報記憶手段２ｂに記憶している端末識別情報を、問合せデータとして、臨床検査データ管理装置Ｐに対して送信する（ステップＳ４０３）。次に、問合せ応答データ受信手段２ｄが、臨床検査データ管理装置Ｐから送信されて来る問合せ応答データを受信すると（ステップＳ４０４）、問合せ応答データ表示手段２ｅが、問合せ応答データ受信手段２ｄで受信した問合せ応答データを表示する（ステップＳ４０５）。そして、所定操作により、臨床検査依頼データ出力手段２ｆが、依頼データを特定の相手先に対して電子メールで出力する（ステップＳ４０６）。
【００５９】
このように、本実施形態に係る臨床検査データ管理装置Ｐは、問合せデータ受信手段１ｈが、前記端末装置Ｑから送信されて来る問合せデータとして受信すると、実施状況判定手段１ｉが、問合せデータ受信手段１ｈで受信した問合せデータに係る個人識別データ及び実施予定データと対応付けて前記個人別臨床検査実施状況マスタ１ａに管理している臨床検査項目及び、検査間隔期間マスタ１ｃを参照し、参照した臨床検査項目が実施済み又は未実施であるかを判定する。そして、問合せ応答データ生成手段１ｊが、前記実施状況判定手段１ｉで判定した判定結果に基づいて、前記端末装置Ｑで閲覧可能な問合せ応答データを生成し、生成した問合せ応答データを、問合せ応答データ送信手段１ｋが端末装置Ｑに対して送信する。
【００６０】
すなわち、患者が複数の医療機関又は臨床検査機関で臨床検査による診察を受ける場合でも、その患者を同じ臨床検査項目を重複して行うことを防止可能な優れた臨床検査データ管理装置Ｐを提供することができる。
【００６１】
なお、臨床検査項目と、その臨床検査項目について実施すべき検査間隔期間を示す検査間隔期間データとを関連付けて管理する検査間隔期間マスタ１ｃを具備し、前記実施状況判定手段１ｉが、前記検査間隔期間マスタ１ｃをさらに参照し、検査間隔期間マスタ１ｃの検査間隔期間データに示される検査間隔期間が、最新の臨床検査の実施日から判定日までの間隔期間以下であるとの参照結果を得た場合には、検査間隔期間の徒過による実施が必要であるとして未実施の判定をするように構成しているので、例えば、血液検査のように一度検査すれば良いものについては二度の検査をする必要が無く、また、定期的に臨床検査をしなければならないような臨床検査項目については、定期的に臨床検査を実施するといった、実情に即した臨床検査の実施を行うことができる。
【００６２】
前記個人別実施状況マスタが管理しているデータの更新の有無を検知するデータ更新検知手段１ｆと、前記データ更新検知手段１ｆでデータ更新があったと検知した場合に、データ更新があった旨を予め定めた出力先に出力するデータ更新通知手段１ｇとを具備しているため、臨床検査や医療の速やかな実施を実現することができる。
【００６３】
前記個人別実施状況マスタで管理している臨床検査実施状況データが、その臨床検査結果の値を示す検査結果値データを含むものであって、臨床検査項目と、検査結果値の異常の有無を判定するための正常又は異常範囲を示す異常判定データとを関連付けて管理する異常判定用マスタ１ｂと、前記個人別実施状況マスタが管理している検査結果値データが、前記異常判定用マスタ１ｂの異常判定データの正常又は異常範囲のどちらに含まれるのかを判定する異常判定手段１ｌと、前記異常判定手段１ｌが前記検査結果値データを異常範囲にあると判定した場合に、その検査結果値データが異常である旨を予め定めた通知先に出力する異常通知手段１ｍとを具備しているため、健康状態に問題のある患者を遅滞無く把握することができる。
【００６４】
このとき、前記異常通知手段１ｍにより通知された検査結果値データが異常である旨に対して、その具体的内容に係る問合せを前記端末装置Ｑから受信した際に、前記異常通知手段１ｍが，さらに具体的な情報を前記異常判定用マスタ１ｂから抽出して、その端末装置Ｑに通知するように構成しているため、健康状態についてどのような問題があるのかを具体的に知ることができる。
【００６５】
特に、前記具体的な情報が、当該検査結果に係る専門的な情報源にアクセスするためのＵＲＬやＱＲコード等のリンク先情報としているため、検査結果に係る情報を、インターネットＩＮＴ等で検索する際に、その労力を大幅に削減できるので使い勝手が格段に向上できる。
【００６６】
臨床検査実施状況データと個人識別データとを受け付けるデータ受付手段１ｄと、前記データ受付手段１ｄで受け付けた臨床検査実施状況データが、前記データ受付手段１ｄで受け付けた個人識別データと対応付けて個人別臨床検査実施状況マスタ１ａに記憶している臨床検査実施状況データと異なる値である場合、又は、前記データ受付手段１ｄで受け付けた個人識別データと対応付けて個人別臨床検査実施状況マスタ１ａに記憶されていない場合に、前記データ受付手段１ｄで受け付けた臨床検査実施状況データを、個人別臨床検査実施状況マスタ１ａに更新又は追加するデータ更新手段１ｅとを具備するので、臨床検査実施状況データを最新の情報に保つことができる。
【００６７】
前記臨床検査実施状況データが、当該臨床検査の実施をした機関を識別可能な検査機関識別データを含むものであるため、どの検査機関が臨床を行ったのかを調べるための検索などを容易に行える。
【００６８】
前記問合せ応答データが、臨床検査項目コード又は臨床検査項目名と、その臨床検査項目に係る直近の検査結果に係る直近値、検査結果の平均値、検査結果の最高値、検査結果の最低値、および臨床検査結果の異常の有無を判断するための基準値のうち少なくとも１以上の値とを含むものであるため、臨床検査結果を具体的に知り得、精密検査や再診の実施の必要性に係る判断を、迅速且つ確実に行うことができる。
【００６９】
前記端末装置Ｑが、臨床検査項目コードを表示するための臨床検査項目コード表示欄ｈ１又は臨床検査項目名を表示するための臨床検査項目名表示欄ｈ２と、臨床検査項目の実施必要性の問い合わせ用のチェックＣを受け付けるためのチェック受付欄ｈ３とを、臨床検査項目を臨床学的に区分けした臨床区分ｈ０ごとに一覧表示するものであり、前記問合せデータ受信手段１ｈが、前記問合せデータ受付用画面を利用して端末装置Ｑで受け付けられた問合せデータを、その端末装置Ｑから受信するように構成しているため、端末装置Ｑ側では、実施必要性の問い合わせ用のチェックＣを容易に行える一方、当該臨床検査データ管理装置Ｐでは、無用な応答をする必要がなく、マシン負荷を抑制できる。
【００７０】
なお、本発明は、以上に詳述した実施形態に限られるものではない。
【００７１】
例えば、実施状況判定手段１ｉが、問合せデータ受信手段１ｈで受信した個人識別データと実施予定データとに基づいて、問合せに係る臨床検査項目が実施済み又は未実施であるかを判定するようにしているが、個人識別データのみから臨床検査項目の実施の有無を判定するようにすることを妨げない。
【００７２】
また、臨床検査データ管理装置Ｐと、医療機関側端末装置Ｑ１または臨床検査側端末装置Ｑ２とが同一の運営者によって運営されるものであってもよいし、また、これら臨床検査データ管理装置Ｐと、医療機関側端末装置Ｑ１または臨床検査側端末装置Ｑ２とが一の装置であることを妨げない。
【００７３】
また、臨床検査データ管理装置Ｐ、医療機関側端末装置Ｑ１、臨床検査側端末装置Ｑ２、および、患者側端末装置Ｑ３を、インターネットＩＮＴを介して接続させているが、専用線を用いて直接接続したり、特定の通信事業者が提供する例えば広域イーサネット等の閉域通信回線網に接続させたりするようにしてもよい。
【００７４】
また、端末装置Ｑに、携帯電話やＰＤＡやノートパソコン等の携帯可能な装置を用いることを妨げない。
【００７５】
その他、各部の具体的構成についても上記実施形態に限られるものではなく、本発明の趣旨を逸脱しない範囲で種々変形が可能である。
【図面の簡単な説明】
【００７６】
【図１】本発明の一実施形態における臨床検査データ管理システムを示す概略図。
【図２】同実施形態における臨床検査データ管理装置の機器構成図。
【図３】同実施形態における臨床検査データ管理システムの機能構成図。
【図４】同実施形態における個人別臨床検査実施状況マスタの格納態様を示す図。
【図５】同実施形態における個人情報マスタの格納態様を示す図。
【図６】同実施形態における異常判定用マスタの格納態様を示す図。
【図７】同実施形態における検査間隔期間マスタの格納態様を示す図。
【図８】同実施形態における問合せ応答データ等の表示態様を示す図。
【図９】同実施形態における医療機関側端末装置の機器構成図。
【図１０】同実施形態における問合せデータ受付画面の表示態様を示す図。
【図１１】同実施形態における臨床検査データ管理装置の動作の一例を示すフローチャート。
【図１２】同実施形態における臨床検査データ管理装置の動作の一例を示すフローチャート。
【図１３】同実施形態における臨床検査データ管理装置の動作の一例を示すフローチャート。
【図１４】同実施形態における医療機関側端末装置の動作の一例を示すフローチャート。
【符号の説明】
【００７７】
Ｐ・・・・臨床検査データ管理装置
Ｑ・・・・端末装置
１ａ・・・個人別臨床検査実施状況マスタ
１ｂ・・・異常判定用マスタ
１ｃ・・・検査間隔期間マスタ
１ｄ・・・データ受付手段
１ｅ・・・データ更新手段
１ｆ・・・データ更新検知手段
１ｇ・・・データ更新通知手段
１ｈ・・・問合せデータ受信手段
１ｉ・・・実施状況判定手段
１ｊ・・・問合せ応答データ生成手段
１ｋ・・・問合せ応答データ送信手段
１ｌ・・・異常判定手段
１ｍ・・・異常通知手段
ｈ０・・・臨床区分
ｈ１・・・臨床検査項目コード表示欄
ｈ２・・・臨床検査項目名表示欄
ｈ３・・・チェック受付欄
【図１】
2006228125.tif 000003
【図２】
2006228125.tif 000004
【図３】
2006228125.tif 000005
【図４】
2006228125.tif 000006
【図５】
2006228125.tif 000007
【図６】
2006228125.tif 000008
【図７】
2006228125.tif 000009
【図８】
2006228125.tif 000010
【図９】
2006228125.tif 000011
【図１０】
2006228125.tif 000012
【図１１】
2006228125.tif 000013
【図１２】
2006228125.tif 000014
【図１３】
2006228125.tif 000015
【図１４】
2006228125.tif 000016